(57)【要約】【課題】上段作業床と下段作業床との間隔を調節することができるエレベータ据付用作業床装置を提供すること。【解決手段】上段作業床１１に吊り下げられた下段作業床駆動用ロープ５０Ａ，５０Ｂと、下段作業床１２に設けられ、下段作業床駆動用ロープ５０Ａ，５０Ｂを伝って下段作業床１２を移動させる下段側駆動装置６０Ａ，６０Ｂと、下段側駆動装置６０Ａ，６０Ｂを制御する下段側制御装置６１と、上段作業床１１に下段作業床１２を近づける指令、上段作業床１１から下段作業床１２を離す指令、上段作業床１１に対して下段作業床１２を停止させる指令を選択的に下段側制御装置６１に対して行う下段側操作装置６２とを備える。【選択図】図２
2015000798.tif 000002
【特許請求の範囲】
【請求項１】
昇降路内に上下方向に並んで設けられる上段作業床と下段作業床とを備え、これら上段作業床と下段作業床を一体的に昇降させるエレベータ据付用作業床装置において、
前記上段作業床に吊り下げられた下段作業床駆動用ロープと、
前記下段作業床に設けられ、前記下段作業床駆動用ロープを伝って前記下段作業床を移動させる駆動装置と、
前記駆動装置を制御する制御装置と、
前記上段作業床に前記下段作業床を近づける指令、前記上段作業床から前記下段作業床を離す指令、前記上段作業床に対して前記下段作業床を停止させる指令を選択的に前記制御装置に対して行う操作装置と
を備えることを特徴とするエレベータ据付用作業床装置。
【請求項２】
請求項１に記載のエレベータ据付用作業床装置において、
前記下段作業床が前記上段作業床に対して予め設定された距離まで近づいたときに、前記駆動装置による前記下段作業床の駆動を停止させる接近時非常停止装置と、
前記下段作業床が前記上段作業床から予め設定された距離まで離れたときに、前記駆動装置による前記下段作業床の駆動を停止させる離間時非常停止装置と
を備えることを特徴とするエレベータ据付用作業床装置。
【発明の詳細な説明】
【技術分野】
【０００１】
本発明は、エレベータの据付作業の際に作業者の足場として昇降路内に設けられる作業床を備えるエレベータ据付用作業床装置であって、特に上下２段の作業床を備えるエレベータ据付用作業床装置に関する。
【背景技術】
【０００２】
この種のエレベータ据付用作業床装置としては、特許文献１に開示された移動作業床がある。この移動作業床は、主索により昇降路内に吊り下げられている。主索は駆動シーブに複数本巻き掛けられている。また、移動作業床は、かごガイドレールに沿って昇降可能なかご枠と、かご枠に固定された下部床と、下部床の上方でかご枠に固定された上部床とを備える。昇降路内には、据付用ロープが垂直に吊り下げられている。据付用ロープの上端部は、揚重梁に接続されている。移動作業床には、据付用ロープを把持し据付用ロープに対して移動作業床を手動により昇降させる手動揚重装置が装着されている。
【先行技術文献】
【特許文献】
【０００３】
【特許文献１】特開２００４−２３８１５１号公報
【発明の概要】
【発明が解決しようとする課題】
【０００４】
前述のように特許文献１に開示の移動作業床（作業床装置）において、下部床（上段作業床）と上部床（下段作業床）は何れもかご枠に固定されている。このため、連続する２階床の間隔寸法（以下適宜「階床間寸法」という）が複数種類存在する建物でのエレベータの据付作業において、下部床と上部床の何れか一方の作業床上にいる作業者がその一方の作業床の高さ位置を、連続する２階床の何れか一方の階床の高さ位置に合せた場合に、他方の作業床の高さ位置が、他方の階床の高さ位置に合わないという事態が生じる。つまり、下部床と上部床のうちの一方の作業床上にいる作業者は、連続する２階床のうちの一方の階床に係る作業を行うことができるが、他方の作業床上にいる作業者は、他方の階床に係る作業を行うことができないという事態が生じる。
【０００５】
本発明は前述の事情を考慮してなされたものであり、その目的は、上段作業床と下段作業床との間隔を調節することができるエレベータ据付用作業床装置を提供することにある。
【課題を解決するための手段】
【０００６】
前述の目的を達成するために本発明に係るエレベータ据付用作業床装置は次のように構成されている。
【０００７】
本発明に係るエレベータ据付用作業床装置は、昇降路内に上下方向に並んで設けられる上段作業床と下段作業床とを備え、これら上段作業床と下段作業床を一体的に昇降させるエレベータ据付用作業床装置において、前記上段作業床に吊り下げられた下段作業床駆動用ロープと、前記下段作業床に設けられ、前記下段作業床駆動用ロープを伝って前記下段作業床を移動させる駆動装置と、前記駆動装置を制御する制御装置と、前記上段作業床に前記下段作業床を近づける指令、前記上段作業床から前記下段作業床を離す指令、前記上段作業床に対して前記下段作業床を停止させる指令を、選択的に前記制御装置に対して行う操作装置とを備えることを特徴とする。
【発明の効果】
【０００８】
本発明に係るエレベータ据付用作業床装置においては、操作装置からの指令に基づき制御装置が駆動装置に下段作業床の移動と停止を行わせる。これにより、本発明に係るエレベータ据付用作業床装置は、上段作業床と下段作業床との間隔を調節することができる。
【図面の簡単な説明】
【０００９】
【図１】本発明の一実施形態に係るエレベータ据付用作業床装置がエレベータの昇降路内に設けられた状態を示す図である。
【図２】図１に示したエレベータ据付用作業床装置をII方向から見た状態を示す拡大図である。
【図３】図２のIII−III拡大断面図である。
【図４】図２に示したガイド部材の斜視図である。
【図５】図２に示した接近時非常停止装置の動作を示す図である。
【図６】図２に示した離間時非常停止装置の動作を示す図である。
【発明を実施するための形態】
【００１０】
以下、本発明の一実施形態に係るエレベータ据付用作業床装置について図１〜図６を用いて説明する。
【００１１】
エレベータの据付工事の際には、図１に示すように、昇降路１の上部に設けられた機械室２内に吊りビーム３が架け渡される。そして、吊りビーム３と昇降路１の底部１ａとの間には、２本の作業床装置駆動用ロープ５Ａ，５Ｂ（図２参照）が張った状態で設けられる。これら２本の作業床装置駆動用ロープ５Ａ，５Ｂは、エレベータの乗降口４側を前側とした場合に左右方向に並んで位置するよう設けられる。本実施形態に係るエレベータ据付用作業床装置１０は、それら２本の作業床装置駆動用ロープ５Ａ，５Ｂに沿って、昇降路１内を昇降するものである。なお、機械室２を備えないエレベータの場合には、昇降路１の上部に吊りビーム３が架け渡されて、作業床装置駆動用ロープ５Ａ，５Ｂが設けられる。
【００１２】
図２に示すように、本実施形態に係るエレベータ据付用作業床装置１０は、上下２段の作業床、すなわち上段作業床１１と下段作業床１２を備える。これら上段作業床１１および下段作業床１２は、作業者の足場を成すものであり、上面視略４角形状に形成されている。
【００１３】
エレベータ据付用作業床装置１０は、上段作業床１１の前後左右の縁部に沿って起立して設けられた上段側手摺り２１と、下段作業床１２の前後左右の縁部に沿って起立して設けられた下段側手摺り２２とを備える。
【００１４】
エレベータ据付用作業床装置１０は、上段作業床１１上の作業者を上方からの落下物から保護する防護天井２３を備える。この防護天井２３は、上段作業床１１に設けられた左右１対の支柱２４Ａ，２４Ｂに固定されている。
【００１５】
図３，図４に示すように、下段作業床１２の左縁部には、前述の作業床装置駆動用ロープ５Ａが配置される切欠き１２ａが設けられている。これと同様に、下段作業床１２の右縁部にも作業床装置駆動用ロープ５Ｂが配置される切欠き１２ｂが設けられている。上段作業床１１にも下段作業床１２と同様に、作業床装置駆動用ロープ５Ａ，５Ｂのそれぞれが配置される２つの切欠き（図示してない）が設けられている。
【００１６】
図２に示すように、エレベータ据付用作業床装置１０は、作業床装置駆動用ロープ５Ａ，５Ｂに沿って上段作業床１１を昇降させる上段側駆動装置３０Ａ，３０Ｂを備える。これらの上段側駆動装置３０Ａ，３０Ｂは、上段作業床１１の下面に固定されている。上段側駆動装置３０Ａは作業床装置駆動用ロープ５Ａを把持しながら、この作業床装置駆動用ロープ５Ａを伝って移動する電動式の装置である。上段側駆動装置３０Ｂは作業床装置駆動用ロープ５Ｂを把持しながら、この作業床装置駆動用ロープ５Ｂを伝って移動する電動式の装置である。
【００１７】
エレベータ据付用作業床装置１０は、上段側駆動装置３０Ａ，３０Ｂを制御する上段側制御装置３１と、上段作業床１１を上昇させる指令、上段作業床１１を下降させる指令、上段作業床１１を停止させる指令を選択的に上段側制御装置３１に対して行う上段側操作装置３２とを備える。上段側制御装置３１は上段側手摺り２１に取り付けられている。上段側操作装置３２はペンダントスイッチから成り、電気ケーブル３３を介して上段側制御装置３１と接続されている。電気ケーブル３３は、上段側操作装置３２を上段作業床１１上のどこへでも持ち運ぶことができる長さに設定されている。
【００１８】
上段側操作装置３２は、上昇ボタンスイッチ３２ａと、下降ボタンスイッチ３２ｂとを備える。これらの上昇ボタンスイッチ３２ａおよび下降ボタンスイッチ３２ｂは押ボタンスイッチから成る。上段側操作装置３２は、上昇ボタンスイッチ３２ａが押圧操作された状態において上段作業床１１を上昇させる指令を行い、下降ボタンスイッチ３２ｂが押圧操作された状態において上段作業床１１を下降させる指令を行い、上昇ボタンスイッチ３２ａおよび下降ボタンスイッチ３２ｂの何れも押圧操作されていない状態において上段作業床１１を停止させる指令を行う。
【００１９】
エレベータ据付用作業床装置１０は、作業床装置駆動用ロープ５Ａ，５Ｂに沿った下段作業床１２の昇降をガイドするガイド部材４０Ａ，４０Ｂを備える。これらのガイド部材４０Ａは下段側手摺り２２の左側部に取り付けられ、ガイド部材４０Ｂは下段側手摺り２２の右側部に取り付けられている。
【００２０】
図４に示すように、ガイド部材４０Ａは円筒部４１を備える。円筒部４１の内周面４１ａは漏斗状に形成されている。ガイド部材４０Ａが下段側手摺り２２に取り付けられた状態において、円筒部４１は切欠き１２ａの上方に位置し、円筒部４１の軸方向を上下方向に一致させた姿勢を成し、漏斗状の内周面４１ａの大径側を上方に向けた姿勢を成す。作業床装置駆動用ロープ５Ａは、ガイド部材４０Ａの円筒部４１に通された状態で昇降路１内に設けられる。
【００２１】
吊りビーム３と昇降路１の底部１ａとの間に作業床装置駆動用ロープ５Ａを張った状態で設ける際、作業者は、作業床装置駆動用ロープ５Ａを吊りビーム３から吊り下げた状態で、その吊りビーム３側とは反対側の作業床装置駆動用ロープ５Ａの端部を、ガイド部材４０Ａの円筒部４１に通す。このとき、円筒部４１が漏斗状の内周面４１ａの大径側を上方に向けた姿勢を成しているので、作業者は、作業床装置駆動用ロープ５Ａを円筒部４１に対して内周面４１ａの大径側から通すことができる。つまり、円筒部４１の漏斗状の内周面４１ａは、作業床装置駆動用ロープ５Ａを円筒部４１に通すことを容易化するものである。
【００２２】
下段側手摺り２２は、横木２２ａと幅木２２ｂとを備える。右側のガイド部材４０Ａの円筒部４１には、この円筒部４１の軸方向に直交する方向に延びた取付部４１ｂ，４１ｃが、その軸方向に間隔をあけて並んで設けられている。これら取付部４１ｂはボルト４２とナット（図示してない）とにより横木２２ａに締結されていて、取付部４１ｃの両端は、ボルト４３とナット（図示してない）とにより幅木２２ｂに締結されている。これにより、ガイド部材４０Ａは、下段側手摺り２２に固定されている。
【００２３】
ガイド部材４０Ｂもガイド部材４０Ａと同じく構成されたものであり、作業床装置駆動用ロープ５Ｂが通される。
【００２４】
図２に示すように、エレベータ据付用作業床装置１０は、上段作業床１１の下面に吊り下げられた下段作業床駆動用ロープ５０Ａ，５０Ｂを備える。これら下段作業床駆動用ロープ５０Ａ，５０Ｂは、上段作業床１１に対して下段作業床１２を近づけたり離したりする際に使用されるロープである。図３に示すように、下段作業床１２には、下段作業床駆動用ロープ５０Ａ，５０Ｂのそれぞれが通される貫通穴１２ｃ，１２ｄが設けられている。
【００２５】
エレベータ据付用作業床装置１０は、下段作業床駆動用ロープ５０Ａ，５０Ｂに沿って下段作業床１２を移動させる下段側駆動装置６０Ａ，６０Ｂを備える。これら下段側駆動装置６０Ａ，６０Ｂは、下段作業床１２の下面に固定されている。下段側駆動装置６０Ａは下段作業床駆動用ロープ５０Ａを把持しながら、この下段作業床駆動用ロープ５０Ａを伝って移動する電動式の装置である。下段側駆動装置６０Ｂは下段作業床駆動用ロープ５０Ｂを把持しながら、この下段作業床駆動用ロープ５０Ｂを伝って移動する電動式の装置である。
【００２６】
下段側駆動装置６０Ａ，６０Ｂと下段作業床駆動用ロープ５０Ａ，５０Ｂによって実現される上段作業床１１の上面と下段作業床１２の上面との間の最長距離は、エレベータが据え付けられる建物において最長の階床間寸法以上に設定されている。
【００２７】
下段作業床１２は、前述の下段作業床駆動用ロープ５０Ａ，５０Ｂと下段側駆動装置６０Ａ，６０Ｂとによって上段作業床１１に吊り下げられた状態である。したがって、下段作業床１２は、上段作業床１１が上段側駆動装置３０Ａ，３０Ｂにより駆動されて上昇または下降すると、その上段作業床１１と一体的に上昇または下降する。つまり、上段側駆動装置３０Ａ，３０Ｂによってエレベータ据付用作業床装置１０全体が昇降する。
【００２８】
エレベータ据付用作業床装置１０は、下段側駆動装置６０Ａ，６０Ｂを制御する下段側制御装置６１と、上段作業床１１に下段作業床１２を近づける指令、上段作業床１１から下段作業床１２を離す指令、上段作業床１１に対して上段作業床１１を停止させる指令を選択的に下段側制御装置６１に対して行う下段側操作装置６２とを備える。下段側制御装置６１は下段側手摺り２２に取り付けられている。下段側操作装置６２はペンダントスイッチから成り、電気ケーブル６３を介して下段側制御装置６１と接続されている。電気ケーブル６３は、下段作業床１２上のどこへでも下段側操作装置６２を持ち運ぶことができる長さに設定されている。
【００２９】
下段側操作装置６２は、接近ボタンスイッチ６２ａと、離間ボタンスイッチ６２ｂとを備える。これらの接近ボタンスイッチ６２ａおよび離間ボタンスイッチ６２ｂは押ボタンスイッチから成る。下段側操作装置６２は、接近ボタンスイッチ６２ａが押圧操作された状態において上段作業床１１に対して下段作業床１２を近づける指令を行い、離間ボタンスイッチ６２ｂが押圧操作された状態において上段作業床１１に対して下段作業床１２を離す指令を行い、接近ボタンスイッチ６２ａおよび離間ボタンスイッチ６２ｂの何れも押圧操作されていない状態において上段作業床１１に対して下段作業床１２を停止させる指令を行う。
【００３０】
エレベータ据付用作業床装置１０は、下段作業床１２が上段作業床１１に対して予め設定された距離まで近づいたときに、下段側駆動装置６０Ａ，６０Ｂによる下段作業床１２の駆動を停止させる接近時非常停止装置７０を備える。
【００３１】
この接近時非常停止装置７０は、上段作業床１１の下面に設けられ、操作レバー７１ａの操作に応じて下段側駆動装置６０Ａ，６０Ｂへの電力の供給を許可する状態と禁止する状態とに選択的に切り替わる接近時非常停止スイッチ７１と、下段作業床駆動用ロープ５０Ａ，５０Ｂの一方、例えば下段作業床駆動用ロープ５０Ａに、この下段作業床駆動用ロープ５０Ａに沿って移動自在に設けられた接近検出おもり７２と、この接近検出おもり７２を接近時非常停止スイッチ７１の操作レバー７１ａに連結した連結ロープ７３と、接近検出おもり７２の下方に位置し、下段作業床１２と一体的に下段作業床駆動用ロープ５０Ａに沿って上下方向に移動自在に設けられた接近時被検出部材７４とを備える。
【００３２】
接近時非常停止スイッチ７１の操作レバー７１ａはリーターンスプリング（図示してない）によって、下段側駆動装置６０Ａへの電力の供給を禁止する初期位置の方向に付勢されている。操作レバー７１ａがリターンスプリングによる付勢に抗して作動位置に操作されることで、接近時非常停止スイッチ７１は、下段側駆動装置６０Ａ，６０Ｂへの電力の供給を許可する状態に切り替わる。
【００３３】
接近検出おもり７２は環状の部材であり、接近時被検出部材７４の可動範囲内に位置するとともに、下段作業床駆動用ロープ５０Ａの外周面を包囲して位置する。図５（ａ）に示すように、接近検出おもり７２は連結ロープ７３を介して接近時非常停止スイッチ７１の操作レバー７１ａを、リターンスプリングに抗して引き下げることで、操作レバー７１ａの操作位置をリターンスプリングによる付勢に抗して作動位置に保持し、これによって、接近時非常停止スイッチ７１の状態を下段側駆動装置６０Ａ，６０Ｂへの電力の供給を許可する状態に保持する。
【００３４】
接近時被検出部材７４は円筒状の部材であり、起立した姿勢で下段作業床１２に載置される。接近時被検出部材７４には、下段作業床駆動用ロープ５０Ａが通されている。つまり、接近時被検出部材７４は、下段作業床駆動用ロープ５０Ａにより倒れることを防止されている。
【００３５】
接近時被検出部材７４は、上段作業床１１に近づく方向（上方向）に下段作業床１２が移動したときに下段作業床１２に押し上げられて下段作業床駆動用ロープ５Ａに沿って上昇し、上段作業床１１から離れる方向（下方向）に下段作業床１２が移動したときに下段作業床１２に追従して下段作業床駆動用ロープ５０Ａに沿って下降する。接近時被検出部材７４の軸方向の長さ寸法は、作業者の身長よりも長い寸法となることを考慮して設定されている。
【００３６】
図５（ｂ）に示すように、下段作業床１２が上段作業床１１に対して予め設定された距離まで近づいた場合、接近検出おもり７２が接近時被検出部材７４により押し上げられて連結ロープ７３が弛む。これに伴い、接近時非常停止スイッチ７１の操作レバー７１ａは、リターンスプリングによる付勢で初期位置に復帰する。これにより、接近時非常停止スイッチ７１は下段側駆動装置６０Ａ，６０Ｂへの電力の供給を禁止した状態になり、これに伴って下段作業床１２は停止する。
【００３７】
エレベータ据付用作業床装置１０は、下段作業床１２が上段作業床１１から予め設定された距離まで離れたときに、下段側駆動装置６０Ａ，６０Ｂによる下段作業床１２の駆動を停止させる離間時非常停止装置８０を備える。
【００３８】
この離間時非常停止装置８０は、下段作業床１２の下面に設けられ、操作レバー８１ａの操作に応じて下段側駆動装置６０Ａ，６０Ｂへの電力の供給を許可した状態と禁止した状態とに選択的に切り替わる離間時非常停止スイッチ８１と、下段作業床駆動用ロープ５０Ａ，５０Ｂの一方、例えば下段作業床駆動用ロープ５０Ａに、この下段作業床駆動用ロープ５０Ａに沿って移動自在に設けられた離間検出おもり８２と、この離間検出おもり８２を離間時非常停止スイッチ８１の操作レバー８１ａを連結した連結ロープ８３と、離間検出おもり８２の下方に位置し、下段作業床駆動用ロープ５０Ａに固定された離間時被検出部材８４とを備える。
【００３９】
離間時非常停止スイッチ８１の操作レバー８１ａはリーターンスプリング（図示してない）によって、上段側駆動装置３０Ａ，３０Ｂへの電力の供給を禁止する初期位置の方向に付勢されている。操作レバー８１ａがリターンスプリングによる付勢に抗して作動位置に操作されることで、離間時非常停止スイッチ８１は、下段側駆動装置６０Ａ，６０Ｂへの電力の供給を許可する状態に切り替わる。
【００４０】
離間検出おもり８２は環状の部材であり、離間時被検出部材８４の可動範囲内に位置するとともに、下段作業床駆動用ロープ５０Ａの外周面を包囲して位置する。図６（ａ）に示すように、離間検出おもり８２は連結ロープ８３を介して離間時非常停止スイッチ８１の操作レバー８１ａを、リターンスプリングの付勢に抗して引き下げることで、離間時非常停止スイッチ８１の状態を下段側駆動装置６０Ａ，６０Ｂへの電力の供給を許可する状態に保持する。
【００４１】
図６（ｂ）に示すように、下段作業床１２が上段作業床１１から予め設定された距離まで離れた場合、離間検出おもり８２が離間時被検出部材８４に載置された状態となって、連結ロープ８３が弛む。これに伴い、離間時非常停止スイッチ８１の操作レバー８１ａは、リターンスプリングによる付勢で初期位置に復帰する。これにより、離間時非常停止スイッチ８１は下段側駆動装置６０Ａ，６０Ｂへの電力の供給を禁止した状態になり、これに伴って下段作業床１２は停止する。
【００４２】
下段側手摺り２２には、下段作業床１２が落下する万一の事態に備えて、下段作業床１２の落下を防止する下段側安全装置９０Ａ，９０Ｂが設けられている。下段側安全装置９０Ａは、作業床装置駆動用ロープ５Ａに対する下段側安全装置９０Ａの下方向の移動速度が予め設定された速度に達した場合に作業床装置駆動用ロープ５Ａを楔により把持し、これにより、下段作業床１２の落下を防止する。下段側安全装置９０Ｂも下段側安全装置９０Ａと同様のものであり、作業床装置駆動用ロープ５Ｂに対する下段側安全装置９０Ｂの下方向の移動速度が予め設定された速度に達した場合に作業床装置駆動用ロープ５Ｂを楔により把持し、これにより、下段作業床１２の落下を防止する。
【００４３】
図示省略したが、上段側手摺り２１には、上段作業床１１が落下する万一の事態に備えて、上段作業床１１の落下を防止する２個の上段側安全装置（下段側安全装置９０Ａ，９０Ｂ）と同様のもの）が設けられている。吊りビーム３と昇降路１の底部１ａとの間には、２本の安全装置用ロープ（図示省略）が張った状態で設けられている。２個の上段側安全装置のそれぞれは２本の安全装置用ロープを楔により把持することで、上段作業床１１の落下を防止する。なお、下段側安全装置９０Ａ，９０Ｂは上段側安全装置と同様に、安全装置用ロープを楔により把持することで下段作業床１２の落下を防止するものであってもよい。
【００４４】
本実施形態に係るエレベータ据付用作業床装置１０によれば次の効果を得られる。
【００４５】
本実施形態に係るエレベータ据付用作業床装置１０においては、下段側操作装置６２からの指令に基づき下段側制御装置６１が下段側駆動装置６０Ａに下段作業床１２の移動と停止を行わせる。これにより、本実施形態に係るエレベータ据付用作業床装置１０は、上段作業床１１と下段作業床１２との間隔を調節することができる。
【００４６】
本実施形態に係るエレベータ据付用作業床装置１０においては、下段作業床１２が上段作業床１１に対して予め設定された距離まで近づいた場合に、接近時非常停止装置７０が下段側駆動装置６０Ａ，６０Ｂへの電力の供給が禁止して、下段作業床１２を停止させる。これにより、本実施形態に係るエレベータ据付用作業床装置１０は、下段作業床１２が上段作業床１１に近づく方向に移動したことに伴って、下段作業床１２上の作業者が上段作業床１１および上段作業床１１に設けられた上段側駆動装置３０Ａ，３０Ｂ等に接触してしまう事態を回避できる。
【００４７】
本実施形態に係るエレベータ据付用作業床装置１０においては、下段作業床１２が上段作業床１１から予め設定された距離まで離れた場合に、離間時非常停止装置８０は、下段側駆動装置６０Ａ，６０Ｂへの電力の供給を禁止して、下段作業床１２を停止させる。これにより、本実施形態に係るエレベータ据付用作業床装置１０は、下段作業床駆動用ロープ５０Ａ，５０Ｂのそれぞれの下端部に下段側駆動装置６０Ａ，６０Ｂのそれぞれが達する前に下段側駆動装置６０Ａ，６０Ｂを停止させることができる。
【符号の説明】
【００４８】
１  昇降路
１０  エレベータ据付用作業床装置
１１  上段作業床
１２  下段作業床
５０Ａ，５０Ｂ  下段作業床駆動用ロープ
６０Ａ，６０Ｂ  下段側駆動装置
６１  下段側制御装置
６２  下段側操作装置
７０  接近時非常停止装置
８０  離間時非常停止装置
【図１】
2015000798.tif 000003
【図２】
2015000798.tif 000004
【図３】
2015000798.tif 000005
【図４】
2015000798.tif 000006
【図５】
2015000798.tif 000007
【図６】
2015000798.tif 000008